(57)【要約】  【課題】  リモコン内蔵マイクと外部マイクの両方からの録音を可能とする記録再生装置を提供する。  【解決手段】  第１入力端子５はリモコン１１が接続され、第２入力端子６は外部マイク１４が接続される。リモコン１１に内蔵された内蔵マイク１３からのオーディオ信号は第１入力端子５と第２入力端子６を通り、記録部４によりミニディスク１に記録される。また、外部マイク１４からのオーディオ信号は第２入力端子６を通り、記録部４によりミニディスク１に記録される。【選択図】      図１
2006085828.tif 000002
【特許請求の範囲】
【請求項１】
記録媒体に記録されたオーディオ信号を再生する再生手段と、外部から受信するオーディオ信号を前記記録媒体に記録する記録手段とを有する記録再生装置であって、
前記記録再生装置の外部から前記記録再生装置へ前記再生手段および前記記録手段を作動させるための制御信号を送信するリモコンを接続可能であって前記リモコンに備えられた第一のマイクからのオーディオ信号を受信する第一の入力端子と、前記第一のマイクと異なる第二のマイクを接続可能であって前記第二のマイクからのオーディオ信号を受信する第二の入力端子とを有し、前記記録手段は前記第一の入力端子と前記第二の入力端子のうち少なくとも一つからオーディオ信号を受信し前記記録媒体に該オーディオ信号を記録することを特徴とする記録再生装置。
【請求項２】
前記第一の入力端子または前記第二の入力端子である優先入力端子に前記リモコンまたは前記第二のマイクを接続したとき、前記第一の入力端子または前記第二の入力端子のうち前記優先入力端子でない方の入力端子から前記記録手段へのオーディオ信号を遮断する遮断手段を有することを特徴とする請求項１に記載の記録再生装置。
【請求項３】
前記優先入力端子は前記記録手段に電気的接続される第一のＲチャンネル用端子および第一のＬチャンネル用端子を備え、前記第一の入力端子または前記第二の入力端子のうち前記優先入力端子でない方の入力端子は前記第一のＲチャンネル用端子に電気的接続される第二のＲチャンネル用端子および前記第一のＬチャンネル用端子に電気的接続される第二のＬチャンネル用端子を備え、
前記優先入力端子に前記リモコンまたは前記第二のマイクを接続したとき、前記遮断手段は前記第一のＲチャンネル用端子と前記第二のＲチャンネル用端子間の電気的接続および前記第一のＬチャンネル用端子と前記第二のＬチャンネル用端子間の電気的接続を遮断することを特徴とする請求項２に記載の記録再生装置。
【発明の詳細な説明】
【技術分野】
【０００１】
本発明は、マイク録音が可能な録音再生装置に関する。
【背景技術】
【０００２】
従来の録音機能を持つポータブル録音再生装置として、本体にマイク専用端子を設け、そこに外部マイクを接続して録音するものが知られている。外部マイクであるので、本体のメカの動作音や本体ボタンの操作音をマイクが拾うことを防げる。
【０００３】
しかし、上記のポータブル録音再生装置では、外部マイクを持ち運ぶ必要があった。特許文献１には、携帯用音響機器と携帯電話機が一体化された携帯装置のリモコンに送話用のマイクを備える発明が開示されている。本発明をもとに、録音再生装置のリモコンにマイクを内蔵させる方法が考えられる。本方法であれば、外部マイクを持ち運ぶ必要がなく、いつどこでもマイク録音が可能である。
【特許文献１】特開平５−９１５８４号公報
【発明の開示】
【発明が解決しようとする課題】
【０００４】
しかし、上記のリモコンに内蔵されたマイクを使用する方法では外部マイクを持ち運ぶ必要はないが、音質が低音質であるため、外部マイクでは可能である高音質での録音が不可能である。また、リモコンにマイクが内蔵されていると、リモコンでの操作音を拾うため、リモコンで操作ができないという問題もある。
【０００５】
本発明は、上記問題点を鑑み、リモコン内蔵マイクと外部マイクの両方からの録音を可能とする記録再生装置を提供することを目的とする。
【課題を解決するための手段】
【０００６】
上記目的を達成するため、本発明の記録再生装置は、記録媒体に記録されたオーディオ信号を再生する再生手段と、外部から受信するオーディオ信号を前記記録媒体に記録する記録手段とを有する記録再生装置であって、前記記録再生装置の外部から前記記録再生装置へ前記再生手段および前記記録手段を作動させるための制御信号を送信するリモコンを接続可能であって前記リモコンに備えられた第一のマイクからのオーディオ信号を受信する第一の入力端子と、前記第一のマイクと異なる第二のマイクを接続可能であって前記第二のマイクからのオーディオ信号を受信する第二の入力端子とを有し、前記記録手段は前記第一の入力端子と前記第二の入力端子のうち少なくとも一つからオーディオ信号を受信し前記記録媒体に該オーディオ信号を記録することを特徴とする（以下、本構成を第１の構成と呼ぶ）。
【０００７】
このような構成によれば、リモコン内蔵マイクと外部マイクの両方からの録音が可能である。
【０００８】
また、本発明の記録再生装置は、第１の構成の記録再生装置において、前記第一の入力端子または前記第二の入力端子である優先入力端子に前記リモコンまたは前記第二のマイクを接続したとき、前記第一の入力端子または前記第二の入力端子のうち前記優先入力端子でない方の入力端子から前記記録手段へのオーディオ信号を遮断する遮断手段を有することを特徴とする（以下、本構成を第２の構成と呼ぶ）。
【０００９】
このような構成によれば、リモコン内蔵マイクと外部マイクの両方が記録再生装置に接続されていても、優先されるマイク（リモコン内蔵マイクと外部マイクのいずれか）からの録音が自動的に選択されるので、使用者はマイクを選択する操作をする必要がなく、使い勝手が良くなる。
【００１０】
また、本発明の記録再生装置は、第２の構成の記録再生装置において、前記優先入力端子は前記記録手段に電気的接続される第一のＲチャンネル用端子および第一のＬチャンネル用端子を備え、前記第一の入力端子または前記第二の入力端子のうち前記優先入力端子でない方の入力端子は前記第一のＲチャンネル用端子に電気的接続される第二のＲチャンネル用端子および前記第一のＬチャンネル用端子に電気的接続される第二のＬチャンネル用端子を備え、前記優先入力端子に前記リモコンまたは前記第二のマイクを接続したとき、前記遮断手段は前記第一のＲチャンネル用端子と前記第二のＲチャンネル用端子間の電気的接続および前記第一のＬチャンネル用端子と前記第二のＬチャンネル用端子間の電気的接続を遮断することを特徴とする。
【００１１】
このような構成によれば、リモコン内蔵マイクと外部マイクの両方が記録再生装置に接続されていても、リモコン内蔵マイクと外部マイクの両方が同一のマイクアンプに電気的接続されることはないので、録音レベルの低下や、不要なノイズの影響をなくすことができる。
【発明の効果】
【００１２】
本発明の記録再生装置により、リモコン内蔵マイクと外部マイクの両方からの録音が可能である。
【発明を実施するための最良の形態】
【００１３】
図１に、本発明の実施例であるポータブルＭＤ（ミニディスク）録音再生装置の概略構成を示す。ただし、図１中の実線矢印はオーディオ信号の流れを示し、点線矢印は制御信号の流れを示す。
【００１４】
記録再生装置２は、ポータブルＭＤ録音再生装置の本体であり、再生部３、記録部４、第１入力端子５、第２入力端子６、制御部７、操作部８を備える。第１入力端子５はリモコンプラグ９を挿入することでリモコン１１を接続可能であり、第２入力端子６は外部マイクプラグ１０を挿入することで外部マイク１４を接続可能である。リモコン１１は、操作部１２と内蔵マイク１３を備え、外部にヘッドホン１５が接続されている。
【００１５】
再生時は、記録媒体であるミニディスク１に記録されたオーディオ信号を再生部３が読み取り、読み取ったオーディオ信号は第１入力端子５、リモコンプラグ９、リモコン１１を介して、ヘッドホン１５で音声として出力される。
【００１６】
録音時は、リモコン１１の内蔵マイク１３からリモコンプラグ９を介して第１入力端子５に入力されるオーディオ信号、または外部マイク１４から外部マイクプラグ１０を介して第２入力端子６に入力されるオーディオ信号を、記録部４がミニディスク１に記録する。第１入力端子５に入力されるオーディオ信号は、後述するように、第２入力端子６を介して記録部４へ入力される。
【００１７】
上記の記録再生操作は、記録再生装置２またはリモコン１１の操作ボタンを使用して行う。記録再生装置２の操作ボタンを使用者が押し下げると、記録再生装置２の操作部８が記録再生操作を検知し、制御部７へ制御信号を送信し、制御部７は再生部３と記録部４を用いて記録再生を行う。また、リモコン１１の操作ボタンを使用者が押し下げると、リモコン１１の操作部１２が記録再生操作を検知し、制御部７へ第１入力端子５を介して制御信号を送信し、制御部７は再生部３と記録部４を用いて記録再生を行う。
【００１８】
図２〜図４に、マイク録音に関する第１入力端子５と第２入力端子６の周辺回路図を示す。図２〜図４の相違は、リモコンプラグ９と外部マイクプラグ１０の挿入パターンの相違である。
【００１９】
第１入力端子５は、リモコンプラグ挿入検出用端子２３、グランド用端子２４、リモコン内蔵マイクＬチャンネル用端子２５、リモコン内蔵マイクＲチャンネル用端子２６を備える。この第１入力端子５には、リモコンプラグ９を挿入可能である。また、各端子はピン固定材料２７で固定されている。
【００２０】
第２入力端子６は、外部マイクプラグ挿入検出用端子１６、グランド用端子１７、外部マイクＬチャンネル用端子１８、外部マイクＲチャンネル用端子１９を備える。この第２入力端子６には、外部マイクプラグ１０を挿入可能である。また、各端子はピン固定材料２２で固定されている。
【００２１】
Ｌチャンネル用端子接続ピン２０は外部マイクＬチャンネル用端子１８と接触することで、外部マイクＬチャンネル用端子１８とリモコン内蔵マイクＬチャンネル用端子２５とが電気的に接続される。Ｌチャンネル用端子接続ピン２０はピン固定材料２２で固定されている。
【００２２】
Ｒチャンネル用端子接続ピン２１は外部マイクＲチャンネル用端子１９と接触することで、外部マイクＲチャンネル用端子１９とリモコン内蔵マイクＲチャンネル用端子２６とが電気的に接続される。Ｒチャンネル用端子接続ピン２１はピン固定材料２２で固定されている。
【００２３】
外部マイクプラグ挿入検出用プルアップ抵抗Ｒ１とリモコンプラグ挿入検出用プルアップ抵抗Ｒ２には、各プラグが各端子に挿入された時に電流が流れるので、この電流を検出することで各プラグの挿入を検出できる。
【００２４】
図２に、リモコンプラグ９が第１入力端子５に挿入されておらず、外部マイクプラグ１０も第２入力端子６に挿入されていない状態を示す。この場合は例えばライン入力、光入力のような別の録音系統で録音される。
【００２５】
図３に、リモコンプラグ９が第１入力端子５に挿入されており、外部マイクプラグ１０は第２入力端子６に挿入されていない状態を示す。この場合、Ｌチャンネル用端子接続ピン２０は外部マイクＬチャンネル用端子１８に接触しているので、リモコンプラグ９から入力されるリモコン１１の内蔵マイク１３のＬチャンネルオーディオ信号は、リモコン内蔵マイクＬチャンネル用端子２５と外部マイクＬチャンネル用端子１８を通り、Ｌチャンネル用ＤＣカットコンデンサＣ１で直流成分がカットされ、Ｌチャンネル用マイクアンプ２８で増幅され、記録部４によりミニディスク１に記録される。
【００２６】
また、Ｒチャンネル用端子接続ピン２１は外部マイクＲチャンネル用端子１９に接触しているので（図５（a）参照）、リモコンプラグ９から入力されるリモコン１１の内蔵マイク１３のＲチャンネルオーディオ信号は、リモコン内蔵マイクＲチャンネル用端子２６と外部マイクＲチャンネル用端子１９を通り、Ｒチャンネル用ＤＣカットコンデンサＣ２で直流成分がカットされ、Ｒチャンネル用マイクアンプ２９で増幅され、記録部４によりミニディスク１に記録される。
【００２７】
また、電源３０からＬチャンネル用マイク電源供給プルアップ抵抗Ｒ３とＲチャンネル用マイク電源供給プルアップ抵抗Ｒ４を通して、上記オーディオ信号が通るラインからリモコンプラグ９を介してリモコン１１の内蔵マイク１３に電源が供給される。
【００２８】
図４に、リモコンプラグ９が第１入力端子５に挿入されており、外部マイクプラグ１０が第２入力端子６に挿入されている状態を示す。図５（b）に示すように、外部マイクプラグ１０が第２入力端子６に挿入されている状態では、外部マイクＲチャンネル用端子１９が外部マイクプラグ１０との接触により曲げられ、外部マイクＲチャンネル用端子１９とＲチャンネル用端子接続ピン２１は非接触となる。Ｌチャンネルについても同様である。従って、外部マイクＬチャンネル用端子１８とリモコン内蔵マイクＬチャンネル用端子２５および外部マイクＲチャンネル用端子１９とリモコン内蔵マイクＲチャンネル用端子２６との電気的な接続が遮断され、リモコンプラグ９を介したリモコン１１の内蔵マイク１３への電源供給と、リモコンプラグ９から入力されるリモコン１１の内蔵マイク１３のオーディオ信号が遮断される。
【００２９】
外部マイクプラグ１０から入力される外部マイク１４のＬチャンネルオーディオ信号は、外部マイクＬチャンネル用端子１８を通り、Ｌチャンネル用ＤＣカットコンデンサＣ１で直流成分がカットされ、Ｌチャンネル用マイクアンプ２８で増幅され、記録部４によりミニディスク１に記録される。
【００３０】
また、外部マイクプラグ１０から入力される外部マイク１４のＲチャンネルオーディオ信号は、外部マイクＲチャンネル用端子１９を通り、Ｒチャンネル用ＤＣカットコンデンサＣ２で直流成分がカットされ、Ｒチャンネル用マイクアンプ２９で増幅され、記録部４によりミニディスク１に記録される。
【００３１】
また、電源３０からＬチャンネル用マイク電源供給プルアップ抵抗Ｒ３とＲチャンネル用マイク電源供給プルアップ抵抗Ｒ４を通して、上記オーディオ信号が通るラインから外部マイクプラグ１０を介して外部マイク１４に電源が供給される。
【００３２】
なお、以上の実施例では、外部マイクとリモコンを同時接続した場合、リモコンの内蔵マイクからのオーディオ信号を遮断し、外部マイクからのオーディオ信号を録音するように、外部マイクを優先させたが、第１入力端子５と第２入力端子６を逆の構成にすれば、リモコンの内蔵マイクを優先させることもできる。
【図面の簡単な説明】
【００３３】
【図１】は、ポータブルＭＤ録音再生装置の概略構成を示す図である。
【図２】は、録音に関する第１入力端子と第２入力端子の周辺回路図である（外部マイクプラグとリモコンプラグとも挿入なしの場合）。
【図３】は、録音に関する第１入力端子と第２入力端子の周辺回路図である（リモコンプラグのみ挿入ありの場合）。
【図４】は、録音に関する第１入力端子と第２入力端子の周辺回路図である（外部マイクプラグとリモコンプラグとも挿入ありの場合）。
【図５】は、第２入力端子のＲチャンネル信号切替え部の構造を示す図である。
【符号の説明】
【００３４】
１    ミニディスク
２    記録再生装置
３    再生部
４    記録部
５    第１入力端子
６    第２入力端子
７    制御部
８    操作部
９    リモコンプラグ
１０  外部マイクプラグ
１１  リモコン
１２  操作部
１３  内蔵マイク
１４  外部マイク
１５  ヘッドホン
１６  外部マイクプラグ挿入検出用端子
１７  グランド用端子
１８  外部マイクＬチャンネル用端子
１９  外部マイクＲチャンネル用端子
２０  Ｌチャンネル用端子接続ピン
２１  Ｒチャンネル用端子接続ピン
２２  ピン固定材料
２３  リモコンプラグ挿入検出用端子
２４  グランド用端子
２５  リモコン内蔵マイクＬチャンネル用端子
２６  リモコン内蔵マイクＲチャンネル用端子
２７  ピン固定材料
２８  Ｌチャンネル用マイクアンプ
２９  Ｒチャンネル用マイクアンプ
３０  電源
Ｒ１  外部マイクプラグ挿入検出用プルアップ抵抗
Ｒ２  リモコンプラグ挿入検出用プルアップ抵抗
Ｒ３  Ｌチャンネル用マイク電源供給プルアップ抵抗
Ｒ４  Ｒチャンネル用マイク電源供給プルアップ抵抗
Ｃ１  Ｌチャンネル用ＤＣカットコンデンサ
Ｃ２  Ｒチャンネル用ＤＣカットコンデンサ
【図１】
2006085828.tif 000003
【図２】
2006085828.tif 000004
【図３】
2006085828.tif 000005
【図４】
2006085828.tif 000006
【図５】
2006085828.tif 000007